(57)【特許請求の範囲】
【請求項１】
試料室に気体を有する動作用の走査電子顕微鏡であって、
１次電子に対するビーム案内管と、試料室と、該試料室に配置された試料ホルダと、１次電子が通過して前記試料室に入る圧力段絞りと、前記の試料ホルダおよび圧力段絞りに対してプラスの電位を有する第１電極（５０；５１；５２）と、少なくとも１つの第２電極（３０；３１）とを有しており、
前記第１電極によって、試料ホルダによって収容される試料（１１）から発生する２次電子が加速され、
該第１電極は、前記ビーム案内管の外に配置されており、
前記第２電極の試料ホルダの方を向いた端部と試料ホルダとの間隔は、第１電極と試料ホルダとの間隔よりも小さく、かつ、前記第２電極は、第１電極の電位と試料の電位との間の電位、または前記試料（１１）の電位を有する形式の、試料室に気体を有する動作用の走査電子顕微鏡において、
前記第２電極（３０，３１）は、第１電極（５０；５１；５２）を、試料（１１）の方を向いた漏斗の先端によって漏斗状に包囲することを特徴とする、
試料室に気体を有する動作用の走査電子顕微鏡。
【請求項２】
試料室に気体を有する動作用の走査電子顕微鏡であって、
１次電子に対するビーム案内管と、試料室と、該試料室に配置された試料ホルダと、１次電子が通過して前記試料室に入る圧力段絞りと、前記ビーム案内管の外に配置された電極とを有する形式の、試料室に気体を有する動作に対する走査電子顕微鏡において、
前記電極は、少なくとも２つの接触接続部を有しており、
該電極の試料の方を向いた端部は、最も高い電位を有する前記接触接続部の電位と試料の電位との間の電位、または試料電位を有し、
最も高い電位を有する前記接触接続部は、試料ホルダおよび圧力段絞りとに対してプラスの電位を有し、
前記電極は、前記２つの接触接続部の間の前記電極に沿って変化する電位差を前記電極表面に生じさせる導電性を有する低導電性電極であることを特徴とする
試料室に気体を有する動作用の走査電子顕微鏡。
【請求項３】
前記第２電極（３０；３１）は、走査電子顕微鏡の光軸に対して、第１電極から試料ホルダの方向に傾いて延在しており、
試料ホルダの方を向いた端部には、第１電極によって、または２次電子を第１電極に導く補助電極（４１；３５；４２；５４ａ；５４ｂ）によって形成される電界の突き抜けのために開口部が形成されている、
請求項２に記載の走査電子顕微鏡。
【請求項４】
前記第２電極（３０；３１）によって、または低導電性の電極の表面に沿う電位の降下を用いることによって、ブレークダウンを引き起こす臨界電離密度未満の電離密度を有する拡大された体積体が形成される、
請求項１から３までのいずれか１項に記載の走査電子顕微鏡。
【請求項５】
前記電離密度を有する体積体の半分以上は、電極によって残りの試料室から隔絶されている領域にある、
請求項４に記載の走査電子顕微鏡。
【請求項６】
前記の２次電子を第１電極に導くために別の補助電極（２２；４１）が設けられている、
請求項１から５までのいずれか１項に記載の走査電子顕微鏡。
【請求項７】
前記の第１および第２電極または低導電性の電極は、走査電子顕微鏡の光軸に対して回転対称に形成されている、
請求項１から６までのいずれか１項に記載の走査電子顕微鏡。
【請求項８】
前記第１電極（５１；５２）は、走査電子顕微鏡の光軸をリング状に包囲し、
前記第２電極（３０；３１）は、前記第１電極を漏斗状に試料ホルダに向かって包囲する、
請求項７に記載の走査電子顕微鏡。
【請求項９】
別の第３電極（２２；４１；）が設けられており、
該電極は走査電子顕微鏡の光軸をリング状に包囲する、
請求項８に記載の走査電子顕微鏡。
【請求項１０】
前記の低導電性の電極は、ライトガイド（５６ａ〜５６ｄ）の一方の側が開いた空所の内側に取り付けられる、
請求項２に記載の走査電子顕微鏡。
【請求項１１】
前記の低導電性の電極は、前記空所の延長された区間にわたって延在している、
請求項１０に記載の走査電子顕微鏡。
【請求項１２】
前記のライトガイドの空所は、ピラミッド形状である、
請求項１０または１１に記載の走査電子顕微鏡。
【請求項１３】
２次電子カスケードの端部に配置されている前記第１電極（５０；５１；５２）は、前記圧力段絞り（２１）の電位よりも１００Ｖ以上プラスの電位を有する、
請求項１から１２までのいずれか１項に記載の走査電子顕微鏡。
【請求項１４】
２次電子カスケードの端部に配置されている前記第１電極（５０；５１；５２）は、前記試料（１１）よりも少なくとも５５０Ｖ以上プラスの電位を有する、
請求項１３に記載の走査電子顕微鏡。
【請求項１５】
前記第２電極（３０；３１）は、試料に対して少なくとも１００Ｖの電位を有する、
請求項１から１４までのいずれか１項に記載の走査電子顕微鏡。
【請求項１６】
ライトガイド（５６）の光透過性の表面に固定された電極（５１，５４，５４ａ，５４ｂ）は、複数の導体路または導線から構成され、
該導体路または導線の幅は１ｍｍ以下であり、該導体路または導線間に、光子が通過してライトガイドに入ることのできるギャップが設けられている、
請求項１から１５までのいずれか１項に記載の走査電子顕微鏡。
【請求項１７】
ライトガイド（５６）の光透過性の表面に電極（５４，５４ａ，５４ｂ）が固定されており、
該電極に沿って電圧降下が発生し、
該電極は、透明であるか、または構造体からなり、
該構造体の幅は１ｍｍ以下であり、
該構造体間に、光子が通過してライトガイドに入ることのできるギャップが設けられており、
前記電極は、前記の２つの場合に導電率の低い材料または極めて薄い材料厚さを有する材料からなり、これによって当該電極に沿って電圧降下が可能である、
請求項１から１６までのいずれか１項に記載の走査電子顕微鏡。
【請求項１８】
試料室にガスを有する走査電子顕微鏡における２次電子用の、２次電子カスケードを利用した検出器において、
低導電性電極が設けられており、
該電極は、中間空間または空所（８１）に沿って延びており、
該電極は、前記の空所または中間空間の内部または前の入口側の領域（６８）にて、前記電極に電位を与えて２次電子を増幅させる際に、前記入口側の領域（６８）における２次電子に対する増幅率が、後続する細長い体積体領域（６９）よりも高くなる低導電性の電極であることを特徴とする、
試料室にガスを有する走査電子顕微鏡における２次電子用の検出器。
【請求項１９】
試料室にガスを有する走査電子顕微鏡における２次電子用の、２次電子カスケードを利用した検出器であって、
複数の電極（６５，６６，６７）が設けられており、
該電極は、中間空間または空所（８１）に沿って延びており、
前記の空所または中間空間の内部または前の入口側の領域（６８）にて前記電極（６５）に電位が与えられており、これによって２次電子に対して高い増幅率が得られ、かつ該入口側の領域（６８）に、２次電子に対して低減された増幅率を有する長く延在する体積体領域（６９）が続く形式の、試料室にガスを有する走査電子顕微鏡における２次電子用の、２次電子カスケードを利用した検出器において、
前記の体積体領域にて電極（６６，６７）の電位供給が行われて、印加された電界が、ガスにおける衝突および壁に対する２次電子のドリフトによって発生する、２次電子カスケードの減衰に対抗するようにし、これによってブレークダウンを引き起こす臨界電離密度未満の電離密度が維持されることを特徴とする、
試料室にガスを有する走査電子顕微鏡における２次電子用の、２次電子カスケードを利用した検出器。
【請求項２０】
前記空所はライトガイドに形成されているか、またはライトガイドに接しており、
該ライトガイドはガスシンチレーションの検出のために構成されている、
請求項１８または１９に記載の検出器。
【請求項２１】
前記の１つまたは複数の電極は、光透過性であるか、または光を通過させるための中間空間を有する構造体からなる、
請求項２０に記載の検出器。
【請求項２２】
前記の空所または中間空間における前記の１つまたは複数の電極の電位はところどころで少なくとも２００Ｖ以上、前記の走査電子顕微鏡の圧力段絞りに対してプラスである、
請求項１８から２１までのいずれか１項に記載の検出器。
【請求項２３】
前記の空所または中間空間における前記の１つまたは複数の電極の電位はところどころで、２次電子を放出する試料に対して６００Ｖ以上プラスである、
請求項１８から２２までのいずれか１項に記載の検出器。
【請求項２４】
前記の体積体領域（６９）は、長手方向が、前記の空所または中間空間の断面に内接する円の最大直径の２倍よりも大きい、
請求項１８から２３までのいずれか１項に記載の検出器。
【請求項２５】
前記の低減された増幅率は、５倍以下、有利には２倍以下である、
請求項１８から２４までのいずれか１項に記載の検出器。
【請求項２６】
前記の低減された増幅率は、０．２倍以上である、
請求項２５に記載の検出器。
【発明の詳細な説明】
【０００１】
本発明は、走査電子顕微鏡に対する検出器、例えば、可変の圧力を有する走査電子顕微鏡に対する検出器と、このような検出器を有する走査電子顕微鏡とに関する。ここで可変の圧力を有する走査電子顕微鏡またはＨＰＳＥＭとは、試料室にガスを有する動作が、少なくとも０．１Ｐａの圧力において可能である走査電子顕微鏡のことである。ＨＰＳＥＭでは検出器として通例、後置接続されたオペアンプを有するコレクタ電極またはガスシンチレーション検出器が使用される。後者は、後置接続された光電子倍増管を有するライトガイドからなる。いずれの場合においての、ガスにおける２次電子カスケード（Sekundaerelektronenkaskade）が必要である。２次電子カスケードを利用する装置は、例えば、ＵＳ４７８５１８２，ＵＳ５３９６０６７，ＵＳ５６７７５３１，ＷＯ９９／２７５５９，ＪＰ２２３６９３９，ＪＰ２２６７８４６およびＪＰ２２７３４４５ならびに刊行物Advances in Electronics and Electron Physics, Vol.78，１９９０年、第１〜１０２頁のG. Danilatosによる論文に記載されている。２次電子カスケードに関連してつぎの問題が発生する：
１．  ２次電子カスケードの増幅率は、弧絡（Ueberschlaege）によって制限される、
２．  コレクタ電極を有する今日のＨＰＳＥＭでは、下方の圧力段絞り（Druckstufenblende）は、コレクタ電極、すなわち２次電子カスケードの端部の電極と同じような電位を有する。したがってこの２次電子カスケードの大部分はガスの道のり区間で発生しなければならず、ここでこの道のり区間は、これに沿って（逆方向に）１次電子散乱が発生するのと同じ道のり区間である。このために圧力およびガス区間を自由に選択することはできず、これらの積を十分に大きくして、圧力またはガス区間が実際にはさほど大きくなくてもよいことが多い場合であっても、２次電子カスケードの十分な増幅率が維持されるようにしなければならない。これに相応してこれらの条件の下で不要に強い１次電子散乱を受け入れなければならない。この欠点はビーム案内管における検出の際にも発生する、
３．  コレクタ電極および後置接続されたオペアンプを有するＨＰＳＥＭでは、高い走査速度は不可能である。低いビーム流強度では、アラインメントに必要な通常の走査速度でさえも不可能である。その理由は、オペアンプの時定数が、このオペアンプの過度に高い増幅率においてはこの走査速度に対して大きすぎるからである、
４．  ガスシンチレーション検出器を有するＨＰＳＥＭにおいても、コレクタ電極を有するＨＰＳＥＭにおいても検出システムの効率は不十分である。結果的に信号雑音比が低下してしまい、また試料に対して大きなビーム障害（Strahlenschaedigung）が発生してしまい、このために多くの課題の実行が失敗してしまう。
【０００２】
本発明の課題は、ＨＰＳＥＭに対して改良された検出器を提供して、上記の諸問題の少なくとも一部を取り除くことである。本発明の目的はさらに、このような改良された検出器を有するＨＰＳＥＭを提供することである。これらの目的は、請求項１の特徴部分に記載された特徴的構成を有する走査電子顕微鏡と、請求項１８の特徴部分に記載された特徴的構成を有する検出器とによって解決される。本発明の有利な実施形態は、従属請求項に記載されている。
【０００３】
本発明の走査電子顕微鏡は、公知のＨＰＳＥＭと同様に、試料側の最終の圧力段絞りを備える、１次電子に対するビーム案内管と、試料室と、この試料室の試料ホルダと、第１電極とを有し、ここでこの圧力段絞りを通して１次電子が試料室に入り、また上記の第１電極は、試料ホルダと、ビーム案内管の最終の圧力段絞りとに対してプラスの電位を有する。試料と第１電極との間の電位差は、２次電子の加速に使用され、ここでこの２次電子は、試料ホルダに収容された試料から１次電子によって解き放たれたものであり、この加速された２次電子と、周囲のガス分子との衝突によって既知の２次電子カスケードが構成され、これによって２次電子流が増幅される。
【０００４】
ここで本発明の意味でのビーム案内管としては、電子ビーム源と際との圧力段絞りとの間の領域を表す。
【０００５】
本発明の第１実施形態では、少なくとも１つの第２電極が設けられており、試料ホルダの方を向いたその端部と試料ホルダとの間隔は、第１電極と試料ホルダとの間隔よりも小さい。この第２電極は、第１電極の電位と試料の電位との間の電位、または試料の電位を有する。
【０００６】
本発明の第２実施形態では、比較的小さな導電率を有するただ１つの電極が設けられており、別個に印加された２つの電位に起因して、抵抗のチェーンの場合と同じようにこの電極に沿って電位差が発生する。この電位差により、表面に沿って電位が変化する電極が得られる。
【０００７】
第２電極を使用することによって、または電極に沿って変化する電位によって、試料ホルダと第１電極との間の電位分布が影響を受けて、高いが臨界未満の電離密度を有する拡大された体積体が得られる。
【０００８】
２次電子カスケードにより、ガスにおいて空間的に変化する電離密度が形成され、ここでこれは、設けられた電極の幾何学形状および印加された電位に依存する。ガスにおいて局所的に過度に高い電離密度が形成される場合、弧絡が発生する。電子の他にガスシンチレーションの光子が、主に電離密度の高い領域において形成される。
【０００９】
本発明の根底にある機能原理は、高いが臨界未満の電離密度を有する拡大された体積体を形成し、これにより２次電子に対して比較的高い増幅率または比較的強い光電子信号を得ることである。ここで臨界未満とは、弧絡がまだ発生しない電離密度のことである。
【００１０】
高いが臨界未満の電離密度を有する拡大された領域は、本発明において電極によって区切られているため、この領域は、残りの試料室に対して区切られた領域である。これが得られるのは、領域を区切るこれらの電極が同時に、高いが臨界未満の電離密度を有する拡大された領域の形成に使用されるためである。
【００１１】
ここで高い電離密度を有する領域の一部は、区切られた領域の外部にあってもよく、例えば、この区切られた領域に入る２次電子カスケードの形態でもよい。この際に全体ないしは高い電離密度を有する体積体の少なくともその半分は、これらの電極によって残りの試料室から区切られる領域内になければならない。
【００１２】
電極によって区切られる領域は、ビーム案内管によって閉じられる領域の外部にあり、ここでこの領域は最終の圧力段絞りによって試料室から区切られている。これは、高いが臨界未満の電離密度を有する拡大された領域が、最終の圧力段絞りの上方に、すなわちビーム案内管にある装置に対して２つの利点を有する。第１に２次電子をこの圧力段絞りを通して到達させるための手段を講じる必要がない。これは例えば、作動距離が大きい際にまたは最終の圧力段絞り開口直径が小さい際に問題である。しかしながら殊に第２に、最終の圧力段絞りの上方に、すなわちビーム案内管において、高い１次電子散乱を甘受する必要がない。これは、この領域において２次電子カスケードを有する高い電離密度を達成すべき場合には不可避である。高い１次電子散乱を有する、最終の圧力段絞りの上方のガスの区間は、この最終の圧力段絞りの下方のガスの区間とは異なり、小さな作動距離によって短じかくすることができない。電極によって区切られる領域をビーム案内管の外に配置することによって、本発明では、中間および小さな１次エネルギーによる作業も、これに結びついた既知の利点によって可能である。
【００１３】
高いが臨界未満の電離密度を有する拡大化された領域という本発明のアイデアは種々の手法で実現可能であり、ここでこの領域は、試料室に対して電極によって区切られた、ビーム案内管の外の領域にある。
【００１４】
１つの実施形態では、高いが臨界未満の電離密度を有する体積体は、２次電子カスケードの伝搬方向に対して垂直に拡大される。択一的な実施形態では、高いが臨界未満の電離密度を有するこの体積体は、２次電子カスケードの伝搬方向に拡大される。さらに高いが臨界未満の電離密度を有するこの体積体を２次電子カスケードの伝搬方向にも、これに対して垂直方向にも共に拡大する混合形態も可能である。
【００１５】
コレクタ電極を有する公知のＨＰＳＥＭでは、電離密度は下方の圧力段絞りの開口部の下側付近でその最大値に到達する。ガスシンチレーション検出器を有する公知のＨＰＳＥＭでは、電離密度は、２次電子カスケードの端部における正の電極の前付近でその最大値に到達する。付加的な電極によって有利に電位を与えることにより本発明において達成されるのは、２次電子カスケードを、比較的大きな体積体に分割して、全体として高い増幅率が、同時に臨界未満の電離密度において達成されることである。したがってＨＰＳＥＭに対する本発明の検出器および本発明の装置によって、２次電子カスケードと、これによって形成される光子との格段に高い増幅率が得られる。それは２次電子カスケードが第２電極によって形成されて、最も高い電離密度を有する領域が格段に大きな体積を占めるようにされるからである。これによって同じ最大電離密度で、２次電子カスケードおよびこれによって形成される光子の格段に大きな増幅率を達成することが可能である。
【００１６】
上記の２番目の欠点は、本発明の検出器において回避される。それは下方の圧力段絞りの下側近くの領域と、２次電子カスケードの端部の電極との間に、高い増幅率を有する２次電子カスケードが可能であり、したがって下方の圧力段絞りの下側近くの領域ではまだ２次電子カスケードの高い増幅率を達成する必要がないからである。
【００１７】
上記の３番目の問題は、本発明の検出器において、大きな電離密度を有する拡大された体積体に起因して、２次電子カスケードの格段に高い増幅率が達せされることによって解決される。これにより、後置接続されるオペアンプにより比較的小さな増幅だけしか必要としない。
【００１８】
ガスシンチレーション検出器を有するＨＰＳＥＭでは、２次電子カスケードの比較的高い増幅率によって、検出効率を改善することができる。この点では本発明は、ガスシンチレーション検出器を有するＨＰＳＥＭに対しても極めて有利である。
【００１９】
本発明のさらに有利な実施形態では、第２電極または低導電性の電極は、第１電極から試料ホルダの方向に傾いており、かつ試料ホルダの方を向いた端部において、第１電極によって形成される電界または補助電極の電界が通る開口部を形成し、ここでこの補助電極によって２次電子が第１電極に導かれる。
【００２０】
有利には付加的に別の補助電極を設けて、第２電極の端部によって決定される、開口部を通って行われる２次電子の案内が改善される。
【００２１】
さらに、有利には第１および第２電極が、走査電子顕微鏡の光軸に対して、すなわちビーム案内管に対して回転対称に構成される。このために第１電極は、ビーム案内管をリング状に包囲することができ、第２電極を、第１電極を包囲する、円錐状に試料ホルダの方に向かう漏斗状の電極として構成することができる。試料の方を向いた第２電極の開口部を通して電界突き抜けが発生し、これが２次電子を第１電極に導く。電極配置の回転対称性によって、１次電子ビームに対するマイナスの影響が低減される。
【００２２】
別の補助電極のうちの１つは、ビーム案内管を管状に包囲する円筒状の電極として構成することが可能である。
【００２３】
第１および第２電極および／または別の補助電極は、導電率の小さなただ１つの電極として、例えば、低導電性のコーティングを有する絶縁体として構成することが可能である。絶縁体上の薄いコーティングの代わりに、導電率の低い材料からなる単一材料の電極としての構成も可能である。この場合、この電極の導電率が低いことに起因して、この電極に沿って、分圧器回路の意味で場所によって異なる電位が発生する。低導電性の電極の、試料の方を向いた端部ないしはその端部の接触接続部は、別個の第１および第２電極を有する実施例において第２電極に相応する。個所、すなわち低導電性の電極と、最も高い電位との接触接続部は、別個の第１および第２電極を有する実施例において第１電極に相応する。したがって別個の電極を有する実施例と同様に、低導電性の電極の試料の方を向いた端部は、最も高い電位を有する、この低導電性の電極の個所よりも低い電位を有する。
【００２４】
本発明の別の実施例では、低導電性の電極は、ライトガイドの一方の側が開いた空所の内側に取り付けられる。最も高い電位を有する低導電性の電極の接触接続個所の機能は、ここでも第１電極のそれに相応する。これは、ライトガイドにの空所において試料側の入口開口部から離れたところにある。この空所の試料側の開口部の近くにおける、低導電性のコーティングの接触接続部の機能は、別個の第１および第２電極を有する実施例における第２電極のそれに相応する。この空所の試料側の入口開口部の近くにおける、低導電性のコーティングの接触接続は電極によって行うことができ、ここでこの電極は、ライトガイドの外側の表面に取り付けられており、かつそこでライトガイドの反射部として使用される。
【００２５】
空所は円錐状またはピラミッド状の構成することができ、これによってライトガイドにおける光検出器への光の案内が改善される。
【００２６】
しかしながら空所の別の形状、例えば円筒状の中ぐり孔も可能である。
【００２７】
さらに、この低導電性の電極を、入口開口部の近くの領域において、この入口開口部から離れた領域よりも少ない層厚で構成することも可能である。この結果、入口開口部の近くにおいて導電率が低くなるのに起因して、この領域において、入口開口部から離れた領域よりも大きな電界強度が得られる。
【００２８】
第１電極またはこれに相応する接触接続部は、ライトガイドの空所において、有利には空所の少なくとも向かい合う２つの側において、空所の拡張された区間にわたって延在しており、これによって２次電子カスケードができる限り大きな体積体に分割される。
【００２９】
高いが臨界未満の電離密度を有する体積体が２次電子カスケードの伝搬方向に拡大される本発明の１実施形態では、複数の電極または低導電性のただ１つの電極が、ライトガイドの長く延在する空所または中間空間に沿ってまたはライトガイドに接して延びている。ここで長く延在する空所または中間空間とは、この空所または中間空間の断面に内接する円の最大直径の２倍よりも大きな長さを有する空所または中間空間のことである。空所の入口側の領域では電極に電位を与えて、２次電子に対して高い増幅率が生じるようにする。択一的には入口開口部の前に付加的な電極を設け、電位を与えて、この入力側の領域において２次電子に対して高い増幅率が生じるようにすることも可能である。この場合に入口側の領域に空所または中間空間の第２の領域が続いており、ここでは電極には種々の弱い電位が与えられて、この第２の領域において格段に低減された、有利には０．２倍〜５倍の、理想的は１である増幅率が２次電子に対して得られる。
【００３０】
この第２の領域は、長く延在した領域である。ここでは確かに２次電子流の増幅率または大きな増幅率は発生しないが、さらに高いが臨界未満の電離密度が維持される。ここでは２次電子カスケードは、ガスにおける衝突によって、また２次電子が中間空間の壁に拡散することによって減衰し続けるが、同時に加えられた電界によって強められもする。高い電離密度によってこの体積体領域に強いガスシンチレーションが発生し、これはライトガイドの端部に配置された光検出器によって検出可能である。この検出器配置は、臨界未満の電離密度を有する拡大された体積体により、検出感度の格段の改善をも可能にする。
【００３１】
別の構成は、Everhardt-Thornley検出器との組み合わせである。ここでは、いずれにせよ設けられているライトガイドの端面は、シンチレータとして構成され、かつ接触接続部として薄い導電性の層を有し、これに高電圧が供給される。この高電圧を１次電子放出から十分に保護する前置の別のグリッド電極を用いることによって、この検出器構成を電子顕微鏡の真空動作における電子検出にも使用可能である。
【００３２】
下方の圧力段絞りの開口部の領域にコレクタ電極を有する今日通常のＨＰＳＥＭにおいてつぎのような強い電界強度があることが多いのに対して、すなわち圧力段絞り開口部内における電界の大きな曲がりを発生し、１次電子に負の影響を与え、かつ分解能の悪化に結びつく強い電界強度があることが多いのに対して、本発明の検出器では、下方の圧力段絞りの開口部の領域において、弱い電界強度しか必要としないため、このような不利な影響は低減される。
【００３３】
別の実施形態では、空所または中間空間の軸および／または中間面は、直線ないしは平面ではなく湾曲している。これは第１には突き抜けを助長し得る多くの粒子、例えばＸ線量子（Roentgenquant）が空所に大きく広がってしまわないようにするという利点を有する。第２にはこれは、高エネルギーの電子が湾曲した電界経過をよく追従できず、したがってこれは方向転換することもなくガスにおける衝突によって壁に当たり易いという利点を有する。
【００３４】
湾曲した軸を有するこのような空所の、作製の容易さに起因する有利な実施形態は、例えば、螺旋形の空所であり、ここでは螺旋は円筒状の内側部分から作製することができ、これは、外側部分として使用される外側の中空円筒形と共に螺旋状の空所を形成する。
【００３５】
別の有利な実施形態および特徴は、図面に示した実施例の以下の説明に記載されている。ここで、
図１は、本発明のガスシンチレーション検出器の第１実施例の概略図を示しており、
図２は、コレクタ電極を有する本発明のＨＰＳＥＭの概略図を示しており、
図３は、本発明の検出器の概略図を示しており、ここでは表面に沿って連続的に電圧降下が発生する電極が使用されており、
図４は、２次電子カスケードに複数の側からライトガイドが接する本発明のガスシンチレーション検出器の概略図を示しており、
図５は、図４に垂直な断面における、図４の検出器の概略図を示しており、
図６は、図４および５に垂直な断面における、図４の検出器の概略図を示しており、
図７は、ガスシンチレーション検出器に対する別の実施例の断面図を示しており、
図８は、別個の圧力領域に対する複数の空所を有する別のガスシンチレーション検出器の概略図を示しており、
図９は、向かい合う空所壁の間隔が変化するガスシンチレーション検出器の別の実施例の概略断面図を示しており、
図１０は、図９の検出器を、図９に対して垂直な断面で示す図である。
【００３６】
図１〜図１０は、ＨＰＳＥＭに対する本発明の検出器の概略図を示している。顕微鏡筒（Mikroskopsaeule）、試料室、ポンプ装置、制御装置その他はここでは示されていない。また電位Ｕ１〜Ｕ９を形成する電圧源およびコレクタ電極に接続されているオペアンプないしはライトガイドに接続されている光電子倍増管も示されていない。
【００３７】
図１〜図６では１次電子は、ビーム案内管の下方の圧力段絞り２１の開口部２０を通って、図示しない試料ホルダに収容された試料１１に到達し、ここでこの１次電子は２次電子を形成する。放出された２次電子およびこの２次電子によりガスにおいて形成された２次電子は、下方の圧力段絞りの下の領域１９において、電界によって側方に偏向され、２次電子カスケードの端部に配置されておりかつ電界が案内される第１電極（５０，５１，５２，６７）の方向に加速される。これにより、ガスにおける２次電子の形成による増幅の大部分が、領域１９と、２次電子カスケードの端部に配置されている電極（５０，５１，５２，６７）との間の電界に沿って行われることになる。この際にこの２次電子カスケードによって形成される正のイオンは、この電界を逆方向に進み、領域１９の方向に搬送される。
【００３８】
図１では試料１１と下方の圧力段絞り２１との間の有利な電位差は、作動距離、試料およびガス組成に応じて例えば８００Ｖまでになり、水蒸気を使用する際には有利には２５０〜４５０Ｖになる。これによって２次電子カスケードが、この試料と下方の圧力段絞りとの間で形成される。漏斗状先端部によって、第１電極５１を実質的に漏斗上に試料１１に向かって包囲する第２電極３１は、圧力段絞り２１に対して有利には０〜１５０Ｖだけプラスである電位を有する。第２電極に対して平行に延在する別の補助電極３４は、第２電極３１の漏斗の内側に、絶縁体３２を介して収容されている。別の補助電極４１がビーム案内管に平行に延在している。これらの別の電極４１および３４の電位は、第２電極３１の電位に対して有利には２５０Ｖまでプラスであるが、第１電極５１に対してはマイナスである。これによって、第１電極５１によって形成された電界の、下方の圧力段絞りの下の領域１９への電界突き抜け（Felddurchgriff）が発生し、これは、第２電極３１と圧力段絞り２１とによって形成される開口部を通して２次電子を通過させる。別の電極３４は絶縁層３２を介して第２電極３１に固定されている。別の電極４１は、同様にビーム案内管における絶縁層を介して圧力段絞り２１に固定するか、または（図１に示したように）ライトガイド５６に固定することが可能である。第１電極５１は、複数の導体路または導線からなり、これはライトガイド５６の表面に固定されており、これらの間には間隙が設けられており、この間隙を通して光子がライトガイドに入ることができる。第１電極５１の電位は、検出器の幾何学形状およびガス組成に応じて、下方の圧力段絞り２１の電位よりも、例えば１００〜１０００Ｖ（ガスとして水蒸気を使用しかつ図１に概略的に示した幾何学形状に対しては有利には２００〜５００Ｖ）だけ大きい。したがって全体として試料と、２次電子カスケードが終了する第１電極５１との間に、公知のＨＰＳＥＭ検出器において同じガス圧力で可能な電位差よりも高い電位差を得ることができる。試料１１と第１電極５１との間のこのより高い電位差によって、２次電子カスケードの格段に高い増幅率と、上に列挙したこれに関連する利点とが得られる。
【００３９】
図２には、コレクタ電極を有する本発明のＨＰＳＥＭ検出器の概略図が示されている。試料１１、下方の圧力段絞り２１，電極３１，４１および３４間の有利な電位差は、図１と同じである。図２では２次電子カスケードはコレクタ電極５２で終わる。この電極は、圧力段絞り２１に対して、検出器幾何学形状およびガス組成に応じて、例えば１５０〜１０００Ｖだけプラスであり、これは第１電極である。水蒸気と、図２に示した幾何学形状とに対して、電位差は有利には２５０〜５００Ｖである。簡単な構造が所望される場合、別の補助電極５４および５３は省略可能である。補助電極５３および５４を使用する際の利点は、コレクタ電極５２の電界の、別の補助電極３４と４１との間のギャップ形状の開口部までの電界突き抜けが改善されることである。ここで補助電極５３および５４の電位は、図２に概略的に示した幾何学形状に対して、有利にはコレクタ電極５２に対して０〜１００Ｖだけマイナスである。２次電子カスケードが通過するガスの区間をさらに大きくするためには、外側の補助電極３４を複数の部分に分割することができ、これによりこれらに種々異なる電位を与えて、これらが２次電子を光軸からさらに離れた領域に導くことできるようにすることが可能である。この場合にこれらの離れた領域にコレクタ電極が配置される。このようにすることの利点は、２次電子カスケードの増幅率が同じ場合、２次電子カスケードの端部のコレクタ電極の前でさらに小さな電離密度が得られることである。これに相応して弧絡を受けることなしに２次電子カスケードのさらに高い増幅率が可能である。コレクタ電極５２，補助電極５３および５４、ビーム案内管を管状に包囲する電極４１、およびコレクタ電極５２を漏斗状に包囲する第２電極３１は、図２において絶縁体５５に固定される。
【００４０】
図３には、ＨＰＳＥＭに対する本発明の別の検出器の概略図が示されている。ライトガイド５６を絶縁体５５の代わりに使用する際には、これはガスシンチレーション検出器である。 後置接続されたオペアンプを有する点線のコレクタ電極５２を使用する際には、これは同時にコレクタ電極を有する検出器でもある。コレクタ電極を有する検出器としてだけこれを利用したい場合、ライトガイド５６を平らな、点線で示した絶縁体５５によって置き換え、これによって構造高を低減することができる。図１および図２の第２電極３１の代わりに図３では絶縁体３３があり、その下側は導電率の大きな層３０、例えば金属層を有しかつ電極３１の機能を果たす。試料１１と圧力段絞り２１との間の有利な電位差は、図１および図２と同じである。図３における圧力段絞り２１と金属層３０との間の有利な電位差は、図１および２における圧力段絞り２１と第１電極３１との間の電位差と同じである。絶縁体３３の上側には薄い層３５が示されている。これは中程度または小さな導電率を有しており、金属層３０との境界において、金属層３０の電位Ｕ３に接触接続している。その外側の縁では層３５と金属層５０とが接触接続しており、その電位は、図２のコレクタ電極５２の電位と同じ有利な大きさを有する。これにより薄い層３５に沿って電圧降下が発生する。同様の電圧降下は、空所の反対側の壁においてもライトガイド５６に沿ってないしは絶縁体５５に沿って発生する。これによって、２次電子カスケードは、光軸から遠く離れた領域に導かれることになり、またコレクタ電極５２がない場合に２次電子カスケードが最終的に電極５０（ないしはコレクタ電極５２が存在する場合には、このコレクタ電極５２）で終わることになる。２次電子カスケードが光軸から遠く離れた領域に導かれる場合の利点は、図２に関連してすでに述べた。つぎのような電極（３５，５４）を使用することの利点、すなわちこれに沿って連続的に電圧降下が発生する電極を使用することの利点は、２次電子カスケードを、光軸から遠く離れている領域に殊に良好に導くことができることである。これに加えて作製上のコストが低減される。それはこのような電極によって、種々異なる電位を有する複数の電極を置き換えられるからである。金属層３０と電位Ｕ３との接触接続は、有利にはほぼ、Ｕ３の等電位面に延在する分離した導線３６を介して行われ、ここでこれはこれが導線なしに存在するかのように行われる。図１および２の電極４１の機能を、図３において果たすのが、ビーム案内管を絶縁体２３を介して包囲する導電率の大きな層４２であり、これは例えば金属層である。その電位は有利には、圧力段絞り２１の電位よりも５〜２５０Ｖ高く、圧力段絞り２１から絶縁層２３によって電気的に分離されている。金属層４２と電極２１との間には導電率の小さな薄い層２２を被着することでき、これに沿って電位Ｕ２とＵ４との間の電圧降下が発生する。構造を簡単にするために金属層４２，絶縁体２３および金属層２２を省略することも可能であるが、この場合には、２次電子カスケードを光軸から離して導く電界に対して、余り良好ではない電界突き抜けしか得られない。ライトガイド５６の光透過性の下側には、薄い構造、例��ば網状の路で、中程度または小さな導電率を有する層５４が被着され、導体路の幅は１ｍｍよりも小さく、これらの導体路間には間隙があり、この間隙を通して、光子がライトガイドに入ることができる。例えば網状であるこの層は、金属層４２によって電位Ｕ４に接触接続しており、かつ金属層５０によって電位Ｕ８に接触接続しており、これによってこの層に沿って、第２電極を形成する層３５と同じように電圧降下が発生する。極めて有利な実施形態では、層５４は、ガスシンチレーションにおいて形成される光子に対して透過性を有する。この場合には層内に間隙も不要である。絶縁体５５をライトガイド５６の代わりに使用する場合、層５４、すなわちこれに沿って電圧降下が発生する層を同様に間隙なしに実施して、できる限り少ない作製コストを達成する。この場合、この層は光透過性でなくてもよい。
【００４１】
図４，図５および図６には、種々異なる断面で本発明の別のガスシンチレーション検出器が示されている。ここで図４には図５および図６の断面の経過が書き込まれている。図の面の背後にあるライトガイド、絶縁層６４，電極１５，３０および５０の部分は、図４において点線で示されている。ライトガイド５６は、４つの部分５６ａ，５６ｂ，５６ｃおよび５６ｄに分割されている。これらはピラミッド状の空所を形成し、図６ではこの中をこのピラミッドの底面から覗いている。この空所の壁は、ライトガイドの光透過性の表面によって形成され、これに図３と同様に中程度または小さな導電率を有する層（５４ａ，５４ｂ，５４ｃ，５４ｄ）が被着されており、これに沿って電圧降下が発生する。図３と同じようにここでもこの層を構造化して、光子がライトガイドに入ることのできる間隙を設けるようにするか、またはこの層を光透過性にして、光子が層それ自体を通過できるようにする。図５および図６からわかるようにライトガイドの外周に付加的な絶縁体（６１，６２，６３および６４）が被着されている。このライトガイドおよび絶縁体は、複数の部分からなる電極３０（３０ａ，３０ｂ，３０ｃ，３０ｄ，３０ｅ，３０ｆ，３０ｇ，３０ｈ，３０ｉからなる）によって包囲されており、その電位はＵ３である。この電極によって、このライトガイドの内側の表面に被着された層５４ａ〜５４ｄも接触接続する。ライトガイドの内側の表面に被着されたこれらの層５４ａ〜５４ｄは反対側では電極５０によって接触接続する。この電極は、電位Ｕ８を有し、かつライトガイド５６ａおよび５６ｂないしは５６ｃおよび５６ｄの間の全境界面に配置されている。この電極の機能は、図３の電極５０の機能に相応する。この電極において２次電子カスケードが終了する。図５からわかるようにライトガイドは、光軸から見ると２つの側ではなく一方の側にだけ延在しており、これは図１および図３の実施例の場合と同じである。
【００４２】
図１〜図３に示した構造とは異なり、図４〜図６の構造において電極は、試料１１と下方の圧力段絞り２１との間の領域において回転対称ではない。ライトガイド５６ｂおよび５６ｃは、光軸の周りに半円状の断面を有する。これによってこれらのライトガイドと、下方の圧力段絞り２１との間に開口部が形成され、これを通して２次電子カスケードの一部がピラミッド状の空所に入ることができる。これは、ライトガイドを包囲する電極３０（３０ｉも含めて）が、圧力段絞り２１に対し、拡大率、１次エネルギーおよび作動距離に応じて、０〜５００Ｖだか有利には０〜２００Ｖだけ高い電位を有することによって促進される。この一方向に作用する電界は、達成可能な解像度に対して負の影響をもたらすことになる。したがって高い解像度を達成したい場合、走査電子顕微鏡の光軸に対してライトガイドの反対側にある補償電極１５に電位Ｕ９を与えることができ、ここでこの電位を選択して、光軸の領域において補償電極１５の方向の電界と、ライトガイド５６の方向の電界とがほぼ均衡するようにする。ここで補償電極１５は、中空の円錐台セグメントの形状を有しており、その輪郭は図４において点線で示されている。これによって試料を、図５〜図６に示した構造において極めて良好に電極１５の方向に傾けることができる。ここでは電位Ｕ９を変更することによって、分解能の低下に対処することができる。この分解能の低下は、試料１１と下方の圧力段絞り２１との間に印加した電圧によって、このようにしなければ、試料を傾けた際に発生し得るものである。下方の圧力段絞り２１は、ガス組成、作動距離および試料に応じて選択されかつ水蒸気に対して有利には試料電位よりも０〜５００Ｖ高い電位を有する。複数の部分電極からなりかつライトガイドを外側から包囲する電極３０は、図示の検出器幾何学形状については、下方の圧力段絞り２１に対して０〜５００Ｖ、有利には０〜２００Ｖだけプラスの電位を有するが、別の検出器幾何学形状ではさらに大きくすることも可能である。図３と同様に図４〜６においてもビーム案内管を包囲する付加的な電極４２を設けることができ、ここでこれは金属層からなり、かつ絶縁層２３により圧力段絞り２１に対して電気的に絶縁されている。その電位Ｕ４は、図示の検出器幾何学形状については圧力段絞り２１に対して同様に有利には０〜２００Ｖだけプラスである。構成上の簡略化は、ビーム案内管を包囲する電極４２の電位Ｕ４を、ライトガイドを外側から包囲する電極３０と同じ電位Ｕ３にすることによって得られる。図３と同様に図４の構造においても、低いまたは中程度の導電率、および電極２１と、ビーム案内管を包囲する電極４２との間の連続的な電圧降下を有する薄い層２２を設けることができ、これにより電界の経過をさらに改善し、かつ絶縁体２３を覆うことができる。下方の圧力段絞り２１と、ライトガイドを包囲する電極３０との電位差が小さい場合には有利な実施形態として、ビーム案内管を包囲する電極４２、絶縁体２３および薄い層２２を省略することにより構成上の簡略化が得られる。
【００４３】
全体的には図４〜６に示した構造の機能は、図３に示した構造のそれと同様である。試料１１と下方の圧力段絞り２１との間には２次電子カスケードが形成される。のちに２次電子流のさらなる増幅がピラミッド形状の空所において行われるため、ここではＨＰＳＥＭに対する今日公知の検出器とは異なり、弱い２次電子カスケードで十分である。電位Ｕ９，Ｕ３，Ｕ２およびＵ１の調整に応じて、２次電子カスケードの大部分を右上にピラミッド形状の空所に導くことができるが、この際に１次エネルギーおよび電位差によっては顕微鏡の十分な分解能が得られないか、または図４において２次電子カスケードの右半分をピラミッド形状の空所に導くことできかつ顕微鏡の十分な分解能を達成することができるかのいずれかである。ピラミッド形状の空所では２次電子カスケードが、電位Ｕ８の第１電極５０に向かってすべての方向に延びる。ここで電位Ｕ８は、ガス組成および検出器幾何学形状に応じて、例えば１００Ｖ〜１０００Ｖ（概略的に示した幾何学形状およびガスとしての水蒸気に対しては有利には１００Ｖ〜６００Ｖ）だけ下方の圧力段絞りの電位Ｕ２より高い。ライトガイドによって包囲されたピラミッド形状の空所において２次電子カスケードを形成することの利点は、ガスシンチレーションによって形成された光子の極めて大部分がライトガイドに到達することである。これは択一的にはより小さな構造スペースおよびライトガイドのより小さな断面積によって達成することも可能であり、これはライトガイド面を、絶縁性の反射面によって置き換え、この面に導電率の低い層を被着することによって行われる。絶縁性の反射面は、背面からめっきされた薄いライトガイドから構成することも可能である。空所のピラミッド形状の利点は、低いまたは中程度の導電率を有する層からなる構造体を、殊に簡単にライトガイド表面に被着できることである。それはこの空所の境界面が平坦だからである。しかしながらこの空所に対して、平坦な境界面も有さずかつ電界について部分的にさらに有利な別の形状も可能であることは当然である。
【００４４】
図１〜図４では、第２電極３１ないしは３０ないしは３０ｉによって形成される開口部は比較的大きく、ここでこの開口部を通して２次電子が到達する。しかしながらこれは格段に小さくすることができる（例えば圧力段絞りの開口部と同じ大きさ）か、またはこれを圧力段絞りの側方に配置される複数のより小さな開口部によって置き換えることができる。この際の利点は、２次電子カスケードに対して、試料室に存在するガスよりも格段に高い増幅率を有する別のガスを使用できることである。試料室のガスとの交換をできるだけ少なく維持するために有利であるのは、試料室において、また２次電子カスケードが発生する空所において同じ圧力を有することである。ここでは２次電子カスケードが発生する空所を２次電子カスケードに対して望ましいガスによって洗浄することができ、これによって試料室からのガスによる汚れができる限り少なく維持される。試料室からのガスによる汚れがさらに小さくされるのは、空所におけるガスの圧力を試料室における圧力よりも高く維持する場合である。２次電子カスケードによって動作する本発明の検出器によって、試料室にほとんどガスのない動作も可能であり、ここでは試料室は常時排気され、試料室にあるガスは、開口部を通って、２次電子カスケードが発生する空所から流れ足されたガスだけからなる。
【００４５】
図７のガスシンチレーション検出器は、光透過性の材料からなる円筒状の管８０から構成され、これは光検出器８２をライトガイド８３の端部に有する。このライトガイド８３はこの円筒状の管に接続されている。一方の側が開いた、ライトガイドの空所は、低導電性のコーティング８４を有する。接触接続リング６５，６６，６７に有利な電位を与えることによって達成されるのは、管の内室８１の入口側の領域６８において比較的電界強度の強い領域が発生し、この領域において強い２次電子カスケードが発生することである。この領域における電離密度は、理想的には絶縁破壊−電離密度の近くまでになる。この入口側の領域には、断面に内接する円の最大の直径よりも長い領域６９が続いており、ここでは接触接続部６６，６７に有利に電位を与えることによって、比較的に弱い電界強度が得られ、これによりこの領域において約１倍の２次電子の倍増が行われ、したがって２次電子流は、実質的にさらなる増幅なしに一定に維持される。この長く延在する第２の領域では大きな電離密度に起因して長い領域にわたって、強いガスシンチレーションが発生し、この際にブレークダウンに結びつく、臨界を上回る電離密度は不要である。第２の領域に形成された光子を検出することによって、元々の２次電子の極めて感度の高い検出が可能である。
【００４６】
上記の代わりに第１の領域において第２の領域とは異なる電界強度が調整されて、低導電性のコーティングの導電率が、第１の領域と、第２の領域とで異なるようにされる場合には、中間の接触接続部６６を省略することも可能である。これは例えばこれらの２つの領域において別個の層厚により達成可能である。
【００４７】
別の有利な実施形態では、入口側における高い電離密度による２次電子カスケードの形成が、空所の内部ではなく、空所の前で行われるようにする。これは、検出器の端面における別の電極７３によって調整可能であり、これも同様に低導電性のコーティングとして構成することができ、これによって電界の傾斜が空所の開口部の方向に生じる。
【００４８】
ライトガイド８０，８３の外側の面のめっきは図７には示されていない。端面７３には、導電性または低導電性の光透過性のコーティングも有利である。
【００４９】
ここで注意したいのは、空所は必ずしも円筒状に丸くする必要はなく、むしろ、平坦または種々に湾曲された壁を有する円筒状の空所も考えられることである。空所の代わりにスリットを使用することも可能であり、ここでこの有効な高さは、このスリットに内接する円の最大の直径によって与えられる。しかしながらここで接触接続はスリットの全幅にわたって行われてはならず、殊につぎのような接触接続部、すなわち最も高い電位を有する接触接続部は、このスリットの縁から十分な間隔を有し、これによって弧絡が発生しないようにすべきである。スリットまたは中間空間を空所の代わりに使用する場合、スリットないしは中間空間の幅を、スリットないしは中間空間の有効な高さの３倍以上に選択して、このような弧絡が発生しないようにすべきである。
【００５０】
本発明の発展形態では、少なくとも１つの方向に種々異なる間隔で向かい合う壁面を有する複数の空所または中間空間を設けることも可能である。このような発展形態の平面図が図８に示されている。有利な実施形態では、向かい合う壁が比較的小さい間隔を有する空所７１は、向かい合う壁が比較的大きな間隔を有する空所よりも試料の近くにある。ライトガイド７２の空所７０，７１が空所の長手方向軸に垂直な少なくとも１つの方向において種々異なる寸法を有することにより、同じ電位が印加される際には１つずつの空所（７０，７１）が別個の圧力においてあらかじめ定められて、ほぼ最適な２次電子カスケードが得られる。この場合、その都度の室の圧力に応じて、これらの空所のうちの１つを２次電子検出器として選択することができ、これは２つの空所のうちの１つの空所における１つまたは複数の電極に２次電子カスケードを構成する電位を印加することによって行われる。
【００５１】
向かい合う壁面の間隔が比較的小さい空所においては、コンタクトの間隔も、向かい合う壁面の間隔が比較的大きい空所の場合よりも小さく選択することできる。この実施例では例えば、高さがより低くかつ横に延びた空所７１は混合形態を表しており、ここでは高い電離密度を有する体積体の拡大が、２次電子カスケードの伝搬方向にも、これに垂直な方向にも共に行われる。それは２次電子カスケードが空所７１の全幅にわたって伝搬できるからである。
【００５２】
本発明の別の有利な実施形態では、壁面が可変の間隔を有する空所または中間空間が使用され、これにより壁面間の間隔を、その都度の室の圧力における２次電子カスケードに対する最適値に調整することが可能である。このような実施例の断面図が図９に示されている。この実施例の別の利点は、ライトガイド８３の端面がシンチレータ８７を有することであり、これに減衰層８８が薄い接触接続部として被着されている。これには例えば１０ｋＶが印加される。さらにグリッド網８９がこの接触接続部の前に設けられており、その強い電界が試料室に対して減衰される。この検出器は、室に高真空状態を有する走査電子顕微鏡の動作時にも、Everhardt-Thornley検出器としても使用可能である。利点は殊に、図９には図示しない真空パイプを有する同じライトガイド８３と、同じ光電子検出器８２とを、試料室に真空状態を有する動作においても、試料室にガスを有する動作においても共に使用できることである。図９においてライトガイドの軸に沿った断面で示した同じ実施例は、図１０においてこのライトガイドの軸に対して横の断面で示されている。この実施例は、ライトガイド８０に接続されているライトガイド８３からなり、このライトガイド８０は空所８１に接触しており、ここでこの空所は、試料室に対して隔絶された領域であり、この領域において高い電離密度を有する拡大された体積体が形成される。先の実施例とは異なり、空所８１は両側に向かって開いている。このことによって、一方の側に向かってだけ開いている空所に比べてより長い長さが確かに必要とされるが、空所の向かい合う壁の間隔の機械的な調整がより容易になるという利点を有する。これに対する調整の例は２つの矢印Ｆによって示されている。ここでは力が、上側のライトガイド８３に、ないしは下側の補強部９１にかかる。
【００５３】
空所の向かい合う壁の間の間隔に応じて、図７の実施例に相応する電極６５，６６，６７に有利な電位が供給され、これによって電極６５，６６間の空所の第１領域に強い２次電子カスケードが形成され、かつ電極６６と６７との間の空所の第２領域に高い電離密度が維持される。接触接続部８５の電位は有利には、接触接続部６５の電位であるか、または反射部８６の電位である。接触接続部６７，８５間の領域では、減衰する２次電子カスケードによって、光子信号に対してさらに寄与がある。しかしながらこれは接触接続部６６および６７間に形成される光子信号よりも格段に小さい。この実施例では、空所は、下側においても、外側からめっきされたライトガイド９０によって境界付けられており、このライトガイドには上側のライトガイド８０と同様に低導電性の層８４が被着されている。この代わりに、空所の下側の境界部９０を電気的に非導通の反射性材料から作製し、かつこれに直接、低導電性のコーティング８４を被着することも可能である。
【図面の簡単な説明】
【図１】  本発明のガスシンチレーション検出器の第１実施例の概略図である。
【図２】  コレクタ電極を有する本発明のＨＰＳＥＭの概略図である。
【図３】  表面に沿って連続的に電圧降下が発生する電極が使用された本発明の検出器の概略図である。
【図４】  ２次電子カスケードに複数の側からライトガイドが接する本発明のガスシンチレーション検出器の概略図である。
【図５】  図４に垂直な断面における、図４の検出器の概略図である。
【図６】  図４および５に垂直な断面における、図４の検出器の概略図である。
【図７】  ガスシンチレーション検出器に対する別の実施例の断面図である。
【図８】  別個の圧力領域に対する複数の空所を有する別のガスシンチレーション検出器の概略図である。
【図９】  向かい合う空所の間隔が変化するガスシンチレーション検出器の別の実施例の概略断面図である。
【図１０】  図９の検出器を、図９に対して垂直な断面で示す図である。
【図１】
0005005866.tif 000002
【図２】
0005005866.tif 000003
【図３】
0005005866.tif 000004
【図４】
0005005866.tif 000005
【図５】
0005005866.tif 000006
【図６】
0005005866.tif 000007
【図７】
0005005866.tif 000008
【図８】
0005005866.tif 000009
【図９】
0005005866.tif 000010
【図１０】
0005005866.tif 000011